(57)【要約】  ディスプレイデバイス支持装置用のチルト機構体がベース部材およびチルトヘッドを含む。ベース部材は、支承部分、取り付け部分、および締結具用凹部を有する。チルトヘッドは、装着部分および摺動部分を有する。装着部分は、チルトヘッドを取り付けプレートに結合するよう構成されている。摺動部分は、支承部分に係合する。摩擦部材がチルトヘッドに係合して摩擦力をチルトヘッドに加える。取り付け用締結具がベースの一部分を貫通して摩擦部材に連結されている。取り付け用締結具は、凹部内に位置決めされたヘッドを有する。取り付け用締結具は、チルトヘッドに加わる摩擦力の大きさを設定する。
2019535040.tif 000002
【特許請求の範囲】
【請求項１】
ディスプレイデバイス支持装置用のチルト機構体であって、
支承部分、取り付け部分、および締結具用凹部を有するベース部材を含み、
装着部分および摺動部分を有するチルトヘッドを含み、前記装着部分は、前記チルトヘッドを取り付けプレートに結合するよう構成され、前記摺動部分は、前記支承部分に係合し、
前記チルトヘッドに係合して摩擦力を前記チルトヘッドに加える摩擦部材を含み、
前記ベースの一部分を貫通して前記摩擦部材に連結されている取り付け用締結具を含み、前記取り付け用締結具は、前記凹部内に位置決めされたヘッドを有し、前記取り付け用締結具は、前記チルトヘッドに加わる前記摩擦力の大きさを設定する、チルト機構体。
【請求項２】
前記取り付け部分は、前記ベース部材を支持アームに連結するための頂部端ぐり部および底部端ぐり部を備えた孔を有する、請求項１記載のチルト機構体。
【請求項３】
前記頂部端ぐり部は、第１のガスケットを受け入れ、前記底部端ぐり部は、第２のガスケットを受け入れている、請求項２記載のチルト機構体。
【請求項４】
前記支承部分は、第１の外レールおよび第２の外レールを有する、請求項１〜３のうちいずれか一の記載のチルト機構体。
【請求項５】
前記第１の外レールは、第１の斜切面を有し、前記第２の外レールは、第２の斜切面を有する、請求項４記載のチルト機構体。
【請求項６】
座金が前記締結具用凹部内に配置されている、請求項１〜５のうちいずれか一に記載のチルト機構体。
【請求項７】
前記凹部は、前記取り付け用締結具ヘッドを受け入れる端ぐり部を含む、請求項１〜６のうちいずれか一に記載のチルト機構体。
【請求項８】
前記取り付け用締結具の回転により前記チルトヘッドに加わる前記摩擦力の大きさが増減する、請求項１〜７のうちいずれか一に記載のチルト機構体。
【請求項９】
前記チルトヘッドは、前記摩擦部材を受け入れる凹部を有する、請求項１〜８のうちいずれか一に記載のチルト機構体。
【請求項１０】
前記摺動部分は、前記凹部と連絡状態にある湾曲した前面を有し、前記摩擦部材は、前記湾曲した前面に対応した湾曲した外面を有する、請求項９記載のチルト機構体。
【請求項１１】
ディスプレイデバイス支持装置用のチルト機構体であって、
取り付け部分および支承部分を有するベース部材を含み、前記取り付け部分は、前記ベース部材を支持アームに回転可能に連結する孔を有し、前記支承部分は、第１の傾斜面を備えた第１のレールおよび第２の傾斜面を備えた第２のレールを有し、
前記ベース部材に回転可能に連結されたチルトヘッドを含み、前記チルトヘッドは、第３の傾斜面を備えた第１の側部材および第４の傾斜面を備えた第２の側部材を有する摺動部分を備え、前記第３の傾斜面は、前記第１の傾斜面に対応するとともに該第１の傾斜面に係合し、前記第４の傾斜面は、前記第２の傾斜面に対応するとともに該第２の傾斜面に係合している、チルト機構体。
【請求項１２】
前記第１の傾斜面および前記第３の傾斜面は、斜切縁部によって構成されている、請求項１１記載のチルト機構体。
【請求項１３】
前記第１および前記第２の側部材は、湾曲している、請求項１１または１２記載のチルト機構体。
【請求項１４】
前記第１の側部材は、前記第２の側部材から間隔を置いて位置し、突出部が前記第１の側部材と前記第２の側部材との間の前記ベース部材から延びている、請求項１１〜１３のうちいずれか一に記載のチルト機構体。
【請求項１５】
摩擦部材が前記チルトヘッドに係合し、締結具が前記突出部を貫通して前記摩擦部材に連結されている、請求項１４記載のチルト機構体。
【請求項１６】
前記締結具の回転により前記チルトヘッドに加わる摩擦力の大きさが増減する、請求項１５記載のチルト機構体。
【請求項１７】
ディスプレイデバイス支持装置用のチルト機構体を調節する方法であって、前記方法は、
支承部分を備えたベース部材および摺動部分を備えたチルトヘッドを用意するステップを含み、前記支承部分は、第１の傾斜面を備えた第１のレールおよび第２の傾斜面を備えた第２のレールを有し、前記摺動部分は、第３の傾斜面を備えた第１の側部材および第４の傾斜面を備えた第２の側部材を有し、前記第３の傾斜面は、前記第１の傾斜面に対応するとともに該第１の傾斜面に係合し、前記第４の傾斜面は、前記第２の傾斜面に対応するとともに該第２の傾斜面に係合し、
前記チルトヘッドを摩擦部材に係合させるステップを含み、前記摩擦部材は、摩擦力を前記チルトヘッドに加えるよう動作可能であり、
取り付け用締結具を前記ベース部材の一部分中に挿通させるステップを含み、
前記取り付け用締結具を前記摩擦部材に連結するステップを含み、前記取り付け用締結具を前記摩擦部材に連結することにより前記チルトヘッドが前記ベース部材に固定され、
前記取り付け用締結具を回転させて前記チルトヘッドに加わる前記摩擦力の大きさを増減するステップを含み、
前記チルトヘッドを前記支承部分に対して動かすことによって前記チルトヘッドを調節するステップを含み、前記摺動部分は、調節中、前記支承部分内で摺動する、方法。
【請求項１８】
前記取り付け用締結具を回転させて前記チルトヘッドに加わる前記摩擦力を増大させることにより前記チルトヘッドを前記ベース部材に対して動かすのに必要な力が増大する、請求項１７記載の方法。
【請求項１９】
前記チルトヘッドに加わる前記摩擦力を増大させることにより前記ディスプレイの位置が所望の角度に保持される、請求項１８記載の方法。
【請求項２０】
前記取り付け用締結具を回転させて前記チルトヘッドに加わる前記摩擦力を減少させることにより前記チルトヘッドを前記ベース部材に対して動かすのに必要な力が減少する、請求項１７〜１９のうちいずれか一に記載の方法。
【発明の詳細な説明】
【技術分野】
【０００１】
種々の例示の実施形態は、ディスプレイ、例えばフラットスクリーンモニタまたはＴＶを可動的に支持するために用いられる支持システムに関する。
【背景技術】
【０００２】
ＴＶおよびコンピュータモニタを含む最新式のディスプレイは、フラットスクリーンを利用している。かかるフラットスクリーンディスプレイは、スリムであってかつ軽量であるという利点を有し、したがって、高いところに位置する支持装置、例えば支持アームに取り付け可能であり、この支持アームは、作業面、例えばデスクまたはテーブルに固定でき、その結果、フラットスクリーンモニタは、作業面の上方に浮いた状態で設けられるようになっている。この構成はまた、こざっぱりとしていてかつ見栄えが良い。
【発明の概要】
【発明が解決しようとする課題】
【０００３】
かかる支持装置を実用的なものにするためには、この支持装置は、ユーザがフラットスクリーンディスプレイを使用にとって最も適した位置に位置決めすることができるよう調節可能でなければならない。しかしながら、多くの支持装置は、容易に調節可能であるというわけではなくかつ／あるいは製造する上で手が込んでいてかつ高価である。加うるに、支持ポストをデスクまたはテーブルトップに取り付けるための従来型手段は、雑であって魅力がない。
【課題を解決するための手段】
【０００４】
例示の一実施形態では、ディスプレイデバイス支持装置用のチルト機構体がベース部材およびチルトヘッドを含む。ベース部材は、支承部分、取り付け部分、および締結具用凹部を有する。チルトヘッドは、装着部分および摺動部分を有する。装着部分は、チルトヘッドを取り付けプレートに結合するよう構成されている。摺動部分は、支承部分に係合する。摩擦部材がチルトヘッドに係合して摩擦力をチルトヘッドに加える。取り付け用締結具がベースの一部分を貫通して摩擦部材に連結されている。取り付け用締結具は、凹部内に位置決めされたヘッドを有する。取り付け用締結具は、チルトヘッドに加わる摩擦力の大きさを設定する。
【０００５】
例示の別の実施形態では、ディスプレイデバイス支持装置用のチルト機構体が取り付け部分および支承部分を有するベース部材を含む。取り付け部分は、ベース部材を支持アームに回転可能に連結する孔を有し、支承部分は、第１の傾斜面を備えた第１のレールおよび第２の傾斜面を備えた第２のレールを有する。チルトヘッドがベース部材に回転可能に連結されている。チルトヘッドは、第３の傾斜面を備えた第１の側部材および第４の傾斜面を備えた第２の側部材を有する摺動部分を備える。第３の傾斜面は、第１の傾斜面に対応するともにこの第１の傾斜面に係合している。第４の傾斜面は、第２の傾斜面に対応するとともにこの第２の傾斜面に係合している。
【０００６】
別の例示の実施形態では、ディスプレイデバイス支持装置用のチルト機構体を調節する方法が支承部分を備えたベース部材および摺動部分を備えたチルトヘッドを用意するステップを含み、摺動部分は、支承部分に係合する。チルトヘッドを摩擦部材に係合させ、摩擦部材は、摩擦力をチルトヘッドに加えるよう動作可能である。取り付け用締結具をベース部材の一部分中に挿通させる。取り付け用締結具を摩擦部材に連結してチルトヘッドをベース部材に固定する。取り付け用締結具を回転させてチルトヘッドに加わる摩擦力の大きさを増減する。チルトヘッドを支承部分に対して動かすことによってチルトヘッドを調節し、摺動部分は、調節中、支承部分内で摺動する。
【０００７】
他の実施形態は、詳細な説明および添付の図面を考慮すると明らかになろう。
【図面の簡単な説明】
【０００８】
【図１】支持体に取り付けられた例示のチルト機構体の斜視図である。
【図２Ａ】取り付けプレートに取り付けられた例示のチルト機構体の後ろから見た斜視図である。
【図２Ｂ】図２Ａに示されている取り付けプレートに取り付けられたチルト機構体の側面図である。
【図３】チルト機構体の一実施形態の斜視図である。
【図４】図３に示されたチルト機構体の分解組立図である。
【図５】図３に示されたチルト機構体の断面側面図である。
【図６】図３に示されたチルト機構体の断面底面図である。
【図７】図３に示されたチルト機構体の底面図である。
【発明を実施するための形態】
【０００９】
図１は、支持アーム２およびチルト機構体４を有する支持装置１の例示の実施形態を示している。支持装置１は、モニタアームあるいはテレビジョンまたはコンピュータ、コンピュータデバイスもしくは他の電子機器で用いられる他のディスプレイ装置を可動的に支持するために用いられる支持装置として役立つよう構成されているのが良い。支持アーム２の遠位側の部分だけが示されている。支持アームの近位側の部分（図示せず）は、支持装置を支持面上に保持するよう寸法決めされるとともに構成された取り付け機構体、例えばクランプ、ブラケット、またはおもり付き支持体を有するのが良い。支持面は、１つの家具、例えばデスクもしくはテーブルトップまたは構造体、例えば壁、床、または天井であるのが良い。取り付け機構体は、支持装置を支持面に取り付けるための１つまたは２つ以上の締結具を含みまたは受け入れるのが良い。
【００１０】
チルト機構体４は、支持アーム２の遠位側部分に回動可能に連結され、取り付けプレート８が図２Ａおよび図２Ｂに示されているようにチルト機構体４に連結されるのが良い。取り付けプレート８は、ディスプレイ（すなわち、ＬＣＤモニタ、プラズマスクリーン、またはフラットスクリーンディスプレイ）を取り付けプレート８の前面に取り付けることができるよう構成されている。チルト機構体４は、図１に示されているように支持アーム２の一端部に結合されている。支持アーム２の他端部は、表面、例えば壁の表面、ワークステーションまたは直立ポール（図示せず）に取り付けられるのが良い。支持アーム２は、ディスプレイが取り付けプレート８に取り付けられると、ディスプレイの重量の調節可能な支持手段となる。
【００１１】
図２Ａおよび図２Ｂに示されているように、チルト機構体４は、ベース部材１２およびベース部材１２に可動的に連結されたチルトヘッド１６を含む。ベース部材１２は、ベース部材１２が第１の軸線Ａ１回りに支持アーム２に対して回転することができるよう支持アーム２に連結されている。チルトヘッド１６は、チルトヘッド１６が第２の軸線Ａ２回りにベース部材１２に対して回転することができるようベース部材１２に連結されている。チルトヘッド１６は、例えば取り付けプレート８によりディスプレイデバイスに連結されている。例示の実施形態では、第２の軸線は、チルト機構体４から間隔を置いて位置した仮想ピボット点である。幾つかの実施形態では、第２の軸線は、取り付けプレート８を貫通するのが良い。
【００１２】
図３〜図７は、チルト機構体を詳細に示している。ベース部材１２は、ベース部材１２を支持アーム２に連結する取り付け部分１２を有する。例えば、取り付け部分２０は、支持アーム２の一部分またはベース部材１２を支持アーム２に連結する締結具を受け入れる孔２２を有する。孔２２は、頂部端ぐり部２６および底部端ぐり部２８を有し、各端ぐり部は、孔２２の中央内部よりも大きな直径を有する。第１のガスケット３２および第２のガスケット３４が支持アーム２に対するベース部材１２の位置を保持するのを助けるよう孔２２内に位置決めされている。第１および第２のガスケット３２，３４は各々、フランジ、本体、および貫通穴を有する。第１のガスケット３２は、フランジが頂部端ぐり部２６内に位置決めされるとともに本体が孔２２の中央内部中に延びるよう孔２２の上側部分内に位置決めされている。第２のガスケット３４は、同様に、孔２２の下側部分内に位置決めされている。例示の実施形態では、第１および第２のガスケット３２，３４は、ベース部材１２を支持アーム２に連結する締結具（例えば、ボルトまたはねじ）に係合し、支持アーム２に対するベース部材１２の運動に対する抵抗をもたらす。
【００１３】
ベース部材１２は、チルトヘッド１６を摺動可能に受け入れるよう構成された全体として湾曲した表面４２を備えた支承部分４０を更に有する。支承部分４０は、ベース部材１２の底部から頂部まで延びている。図４および図６に示されているように、支承部分４０は、第１の外レール４４および第２の外レール４６を有する。第１および第２の外レール４４，４６は各々、チルトヘッド１６の一部分に係合する傾斜した表面、例えば斜切縁部を有する。チルトヘッド１６は、第１および第２の外レール４４，４６内で摺動し、チルトヘッド角度の調節を可能にする。
【００１４】
ベース部材１２は、湾曲面４２から支承部分４０まで延びる突出部５０を有する。突出部５０は、基部から湾曲外面を備えた頂上部５２までテーパしている。例示の他の実施形態では、頂上部５２は、平坦な外面を有する。図５に示されているように、凹部５６がベース部材の底面に形成され、貫通穴６０が凹部５６から突出部５０を貫通して延びている。貫通穴６０は、チルトヘッド１６をベース部材１２に固定する取り付け用締結具６４（例えば、取り付けねじ）を受け入れるよう形作られている。貫通穴６０と取り付け用締結具６４は、これら２つの間に過剰な自由遊びがほとんどなくまたは全くないよう厳密な公差内にあるのが良く、このことは、チルトヘッド１６の運動中のジャミングを阻止するのを助ける。凹部５６は、１つまたは２つ以上の締結具部品、例えば取り付け用締結具６４のヘッドおよびばね座金６２を受け入れるよう端ぐり部６６を含む。図５に示されているように、ばね座金６２は、取り付け用締結具６４のヘッドと支承部分４０との間で端ぐり部６６内に受け入れられている。
【００１５】
図３〜図６に示されているように、チルトヘッド１６は、装着部分７０および摺動部分７４を有する。図３〜図５に示されているように、装着部分７０は、上側部分７６および下側部分７８を有する。上側部分７６は、取り付けプレート８をチルトヘッド１６に解除可能に結合するよう構成されたタブ７７を有する。幾つかの実施形態では、タブ７７は、取り付けプレート８にスナップ嵌めまたはクリップ止めされるのが良い。下側部分７８は、チルトヘッド１６を互いに異なる位置に回転させているときに取り付けプレート８の支持体となる。摺動部分７４に隣接して位置する凹み領域８４への接近を可能にする開口部８２が下側部分７８に設けられている。
【００１６】
摺動部分７４は、凹み領域８４に向いた湾曲前面８５を有する。突出部５０と連絡状態にあるスロット８６が摺動部分７４に設けられている。摩擦部材９０が凹み領域８４内に位置決めされており、この摩擦部材は、湾曲前面８５の少なくとも一部分に係合するよう取り付け用締結具６４によって連結されている。例示の実施形態では、摩擦材料９０は、取り付けねじを受け入れるねじ山付き孔を備えた弾性材料から成る圧縮可能なガスケットであり、ただし、他の連結方法を用いることができる。例示の実施形態では、頂上部５２の湾曲外面の少なくとも一部分は、摺動部分７４の湾曲前面８５の一部分と同一の曲率半径を有する。
【００１７】
図５に示されているように、湾曲前面８５の曲率は、摩擦部材９０の湾曲外面９２に対応している。湾曲前面８５と湾曲外面９２の曲率が互いに対応していることによりチルトヘッド１６は、摩擦部材９０に対して摺動することができる。摩擦部材９０および取り付け用締結具６４は、チルトヘッド１６をベース部材１２に固定し、それによりチルトヘッド１６の回動可能な調節が可能である。取り付け用締結具６４は、チルトヘッド１６に加わる摩擦力の大きさを設定することができる。図示の例示の実施形態では、取り付け用締結具６４を締め付けることによって、圧力がばね座金６２に加えられ、それによりばね座金６２が次第に圧縮されると同時に摩擦部材９０に加えられる圧力が次第に増大し、かくしてチルトヘッド１６をベース１２に対して動かすのに必要な力が増大する。取り付け用締結具６４を弛めることによって、圧力がばね座金６２から除かれ、それによりばね座金６２が次第に復元すると同時に摩擦部材９０から圧力が次第に除かれ、かくしてチルトヘッド１６をベース１２に対して動かすのに必要な力が減少する。したがって、取り付け用締結具６４は、ディスプレイの位置を所望のチルト角度に保持するよう締め付け可能である。ばね座金６２を用いることにより、摩擦力のより正確な制御が可能である。他の例示の実施形態では、取り付け用締結具６４は、一定のまたは固定された荷重を（例えば、リベット締結具を用いて）摩擦部材９０に加えてディスプレイの位置を所定のチルトに保持することができる。幾つかの実施形態では、取り付け用締結具６４を逆進させて取り付け用締結具６４のヘッドが締め付け時に摩擦部材９０と連絡関係をなすようにする。この例示の実施形態では、チルトヘッド１６の回動可能な調節は、上述したのと同様な仕方で行われる。
【００１８】
図６に示されているように、摺動部分７４は、第１の側部分または側部材９６および第２の側部分または側部材９８を有する。第１および第２の側部分９６，９８は各々、支承部分９０に向いた後ろ側の湾曲した表面を有し、第１および第２の側部分９６，９８は、弓の形になっている。後ろ側湾曲面は、支承部分４０の第１および第２の外レール４４，４６の斜切面にそれぞれ対応した傾斜面、例えば斜切縁部を有する。第１および第２の側部分９６，９８ならびに第１および第２の外レール４４，４６の斜切面は、チルトヘッド１６をベース部材１２の支承部分４０に摺動可能に係合させることができる。図６に示されているように、第１および第２の側部分９６，９８の内面相互間の空間は、突出部５０を受け入れる開口部を構成する。
【００１９】
取り付け用締結具６４を締め付けることによって、第１および第２の外レール４４，４６の斜切面は、第１および第２の側部分９６，９８を押しまたは絞ってこれらを突出部５０に接触させ、それにより第１および第２の側部分９６，９８の内面と突出部５０との間に摩擦力を生じさせる。取り付け用締結具６４が締まるにつれて、第１および第２の側部分９６，９８と突出部５０との間の摩擦力が増大し、したがって、チルトヘッド１６をベース部材１２に対して動かすのに必要な力が増大する。かくして、この例示の実施形態は、調節のしやすさが取り付け用締結具６４を上述したようにチルトヘッド１６の摩擦部材９０内で締め付ける量に依存するチルトヘッド１６の回動可能な調節を可能にする。
【００２０】
ある特定の例示の実施形態の上記詳細な説明は、一般的な原理および実用的な用途を説明する目的で提供されており、それにより当業者であれば種々の実施形態についての開示ならびに想定される特定の用途に合うような種々の改造を施した開示を理解することができる。本明細書は、必ずしも、網羅的であることを意図するようになっておらずあるいは本発明を開示した例示の実施形態に限定することを意図していない。本明細書において開示した実施形態および／または要素のうちの任意のものを互いに組み合わせることができ、それにより具体的には開示されていない種々の追加の実施形態を構成することができる。したがって、追加の実施形態が可能であり、かかる追加の実施形態は、本明細書および特許請求の範囲に記載された本発明の範囲に含まれるものである。本明細書は、別の仕方で達成可能なより一般的な目標を達成するための特定の実施例を記載している。
【００２１】
本明細書で用いられる「前」、「後」、「上側」、「下側」、「上方」、「下方」および他の向きを表す用語は、本発明の例示の実施形態を説明しやすくすることが意図されており、本発明の例示の実施形態の構造を任意特定の位置または向きに限定するものではない。程度を表す用語、例えば「実質的に」、または「約」という用語は、所与の値から外れた妥当な範囲、例えば説明した実施形態の製造、組み立て、および使用と関連した一般的な公差を意味するものと当業者によって理解される。
【図１】
2019535040.tif 000003
【図２Ａ】
2019535040.tif 000004
【図２Ｂ】
2019535040.tif 000005
【図３】
2019535040.tif 000006
【図４】
2019535040.tif 000007
【図５】
2019535040.tif 000008
【図６】
2019535040.tif 000009
【図７】
2019535040.tif 000010
【国際調査報告】
2019535040.tif 000011
2019535040.tif 000012